(57)【要約】      （修正有）【課題】同じ型のトレー本体と蓋とを用い、収納する電子部品の向きを常に一定となるようにした電子部品収納用トレーを提供する。【解決手段】トレー本体と蓋とを有する電子部品収納用トレーであって、トレー本体は、複数の収納部と、収納部の外周に所定高さの立上げ部を介して連結したスカート部とを有する皿型の容器であり、収納部は、電子部品を保持させる容器状に形成され、収納する電子部品のフランジ部を収納する浅底の収納ガイドと、端子部等を収納する深底の保持孔とを有し、保持孔を正多角形ないし矩形として電子部品が位置決めできるようにし、スカート部は収納部の周囲を取巻いてトレー本体を自立させるためにあり、蓋は、収納部に対応する凹部と、スカート部にはまり合う側壁部を有するようにした電子部品収納用トレー。【選択図】図４
0003106610.tif 000002
【実用新案登録請求の範囲】
【請求項１】
トレー本体と蓋とを有する電子部品収納用トレーであって、
トレー本体は、複数の収納部と、収納部の外周に所定高さの立上げ部を介して連結したスカート部とを有する皿型の容器であり、
収納部は、電子部品を保持させる容器状に形成され、収納する電子部品のフランジ部を収納する浅底の収納ガイドと、端子部等を収納する深底の保持孔とを有し、保持孔を正多角形ないし矩形として電子部品が位置決めできるようにし、
スカート部は収納部の周囲を取巻いてトレー本体を自立させるためにあり、
蓋は、上記収納部に対応する凹部と、上記スカート部にはまり合う側壁部を有するようにした
ことを特徴とする電子部品収納用トレー。
【請求項２】
収納部の外周に所定高さの立上げ部を介して連結したスカート部が、その上部および／または側面に凹溝が形成されており、この凹溝がスカート部を保形する補強用のリブを兼ねるものであることを特徴とする請求項１に記載の電子部品収納用トレー。
【請求項３】
蓋が、収納する電子部品の本体等を収納する深底の保持孔を有することを特徴とする請求項１または２に記載の電子部品収納用トレー。
【請求項４】
蓋が、トレー本体との間でその一角に設けた面取り部により、はめ込む向きが一定になるよう構成されていることを特徴とする請求項１ないし３のいずれかに記載の電子部品収納用トレー。
【考案の詳細な説明】
【技術分野】
【０００１】
本考案は、プリント基板やその他の電子回路に搭載する電子部品の保管，運搬に用いる電子部品収納用トレーに関する。
【背景技術】
【０００２】
プリント基板やその他の電子回路に搭載する電子部品、例えば、抵抗やコンデンサ、水晶振動子、表示管等の保管，運搬に用いるトレーは、一般に皿型の容器であり、容器の底に収納すべき電子部品を保持させる凹部を形成し、あるいは隔壁で区画したものが知られている。
そのような例として、実公平３−３３６７０号公報（特許文献１参照）、特開平１０−３２９８８６号公報（特許文献２参照）、特開平６−１５６５６１号公報（特許文献３参照）、実開昭５６−３６１５０号公報（特許文献４参照）、実開平４−１００３３号公報（特許文献５参照）、実開平４−４８１３６号公報（特許文献６参照）が知られているが、これらはいずれもトレー本体を積み重ねて持ち運ぶことができるようになってはいるが、各トレー本体に蓋を取り付けて使用することは示されていない。
【特許文献１】実公平３−３３６７０号公報
【特許文献２】特開平１０−３２９８８６号公報
【特許文献３】特開平６−１５６５６１号公報
【特許文献４】実開昭５６−３６１５０号公報
【特許文献５】実開平４−１００３３号公報
【特許文献６】実開平４−４８１３６号公報
【考案の開示】
【考案が解決しようとする課題】
【０００３】
上述の、プリント基板やその他の電子回路に搭載する電子部品の保管，運搬に用いる電子部品収納用トレーにおいて、搬送時に電子部品がトレー本体から飛び出すのを防いだり、小ロットで搬送するためにトレー本体に蓋を取り付けることが行なわれている。
このようにトレー本体に蓋を取り付けるようにした場合、特に電子部品が小型である場合には、トレー本体を自動機にかけて電子部品を取り出すため、その電子部品の向きが重要である。
【０００４】
しかしながら、トレー本体に収納された電子部品の状態は蓋が取り付けられていて外部から見ることができないため、その向きを一定にしておかないとその後の自動機による操作が非常に面倒なものとなってしまう。
【０００５】
この考案の目的は、同じ型のトレー本体と蓋とを用い、収納する電子部品の向きを常に一定となるようにした電子部品収納用トレーを提供することにある。
【課題を解決するための手段】
【０００６】
上記目的を達成するため、この考案による電子部品収納用トレーにおいては、
トレー本体と蓋とを有する電子部品収納用トレーであって、
トレー本体は、複数の収納部と、収納部の外周に所定高さの立上げ部を介して連結したスカート部とを有する皿型の容器であり、
収納部は、電子部品を保持させる容器状に形成され、収納する電子部品のフランジ部を収納する浅底の収納ガイドと、端子部等を収納する深底の保持孔とを有し、保持孔を正多角形ないし矩形として電子部品が位置決めできるようにし、
スカート部は収納部の周囲を取巻いてトレー本体を自立させるためにあり、
蓋は、上記収納部に対応する凹部と、上記スカート部にはまり合う側壁部を有するようにした
ことを特徴としている。
【０００７】
この考案による電子部品収納用トレーは、上記収納部の外周に所定高さの立上げ部を介して連結したスカート部が、その上部および／または側面に凹溝が形成されており、この凹溝がスカート部を保形する補強用のリブを兼ねるものであることをも特徴とするものである。
【０００８】
この考案による電子部品収納用トレーは、上記蓋が、収納する電子部品の本体等を収納する深底の保持孔を有することをも特徴とするものである。
【０００９】
この考案による電子部品収納用トレーは、上記蓋が、トレー本体との間でその一角に設けた面取り部により、はめ込む向きが一定になるよう構成されていることをも特徴とするものである。
【考案の効果】
【００１０】
この考案による電子部品収納用トレーは、同じ型のトレー本体と蓋とを用い、収納する電子部品の向きを常に一定となるようにしたので、トレー本体を自動機にかけて電子部品を取り出す場合においても迅速かつ正確に作業を行なうことができるようになった。
【考案を実施するための最良の形態】
【００１１】
以下、この考案に係る電子部品収納用トレーの実施の形態を、図面によって詳細に説明する。
図１はこの考案に係る電子部品収納用トレーの１実施例を示すトレー本体の平面図、図２（ａ）はその正面図、（ｂ）はその背面図、図３（ａ）はその右側面図、（ｂ）はその左側面図、図４（ａ）はトレー本体の収納部とスカート部の要部横断面図、（ｂ）は収納部のみの要部横断面図、図５（ａ）はトレー本体の収納部とスカート部の要部縦断面図、（ｂ）は収納部のみの要部縦断面図、図６は上記トレー本体に取り付ける蓋の底面図、図７（ａ）はそのＡ−Ａ断面図、（ｂ）はそのＢ−Ｂ断面図、図８（ａ）はそのＣ−Ｃ断面図、（ｂ）はそのＣ−Ｃ断面図、図９は蓋の面取り部の要部拡大背面図、図１０（ａ）は蓋の別の部分の要部拡大背面図、（ｂ）はその左側断面図、（ｃ）はその下側断面図、
図１１はこの考案に係る電子部品収納用トレーの他の実施例を示すトレー本体の平面図、図１２（ａ）は収納部の拡大平面図、（ｂ）は収納部とスカート部の拡大断面図、図１３はこの実施例に用いる蓋の底面図、図１４は蓋の要部拡大断面図、図１５は蓋の面取り部の要部拡大背面図、図１６は別の部分の要部拡大背面図である。
【００１２】
この考案による電子部品収納用トレーは、図１に示すようなトレー本体１１と、図６に示すような蓋１２とで構成されているものである。
先ず、トレー本体１１は、図１、図２、図３に示すように、中央の平板状部分に設けた複数の収納部２１と、収納部２１の外周に所定高さの立上げ部２３を介して連結したスカート部２２とを有し、全体として皿型の容器をなしている。２０は面取り部である。
【００１３】
より詳しく説明すると、トレー本体１１の上記収納部２１は、図４および図５のように、電子部品１０１を保持させるよう容器状に形成されており、収納する電子部品１０１のフランジ部１０２を収納する浅底の収納ガイド２４と、端子部１０３等を収納する深底の保持孔２５とを有し、この保持孔２５をさらに矩形としたものからなっている。このようにすることにより、電子部品１０１の端子部１０３等が深底の保持孔２５の形状（矩形）に沿って配置、収納されるので、電子部品１０１は深底の保持孔２５で位置決めされ、水平に回転して位置がくるうことがない。
【００１４】
スカート部２２は、収納部２１の周囲を取巻いてトレー本体１１を自立させるためにあり、上記収納部２１の外周に所定高さの立上げ部２３を介して連結されている。そして、スカート部２２の上部および／または側面には凹溝２６が形成されており、この凹溝２６がスカート部２２を保形する補強用のリブを兼ねるものとなっている。
なお、スカート部２２の下端にはフランジ部２７が２段に形成されており、このフランジ部２７には、その高さの範囲で上記凹溝２６のほぼ中央に位置するよう細幅の凹溝２８が形成されている。図中２９，３０は上記立上げ部２３の適所に設けた切欠き部で、切欠き部２９は収納部２１の面とほぼ等しい深さまで、切欠き部３０は立上げ部２３の途中までそれぞれ切欠いて形成されている。
【００１５】
図６ないし図８に示す蓋１２は、全体としてトレー本体１１と相似形であり、上記収納部２１に対応する凹部３１と、上記スカート部２２にはまり合う側壁部３２を有するよう構成されている。３３は凹部３１の外周に凹部３１の突出方向と同じ向きに立ち上げた、所定高さの立上げ部である。したがって、上記側壁部３２はこの立上げ部３３を介して蓋１２の平滑部分と連結されている。
図では上記蓋１２の凹部３１は、図９および図１０に示すように、収納する電子部品１０１のフランジ部１０２を収納する浅底の収納ガイド３４と、電子部品の本体等１０４等を収納する深底の保持孔３５とを有するものである。
いずれの場合にも、上記蓋１２の凹部３１は、側壁部３２と近接する部分においてその立上げ部３３と連結するように形成され、補強効果のみならず成形時の不良をなくすようになっている。
【００１６】
図６および図９において３６は蓋１２に設けた面取り部で、トレー本体１１の面取り部２０と対応するよう形成されていて、蓋１２をトレー本体１１に取り付ける際のオリフラとして機能する。
このように、蓋１２とトレー本体１１との間において、その一角に設けた上記面取り部２０，３６は、トレー本体１１に蓋１２をはめ込む向きが、常に一定になるよう設けられているものである。
【００１７】
図１１ないし図１６はこの考案の電子部品収納用トレーの他の実施例を示すものである。この実施例においてトレー本体４１は、図１１および図１２に示すように、中央の平板状部分に設けた複数の収納部５１と、収納部５１の外周に所定高さの立上げ部５３を介して連結したスカート部５２とを有し、全体として皿型の容器をなしている。５０は面取り部である。
【００１８】
より詳しく説明すると、トレー本体４１の上記収納部５１は、図１２のように、電子部品２０１を保持させるよう容器状に形成されており、収納する電子部品２０１のフランジ部２０２を収納する浅底の収納ガイド５４と、端子部２０３等を収納する深底の保持孔５５とを有し、この保持孔５５をさらにほぼ正方形（図では４叉状）としたものからなっている。このようにすることにより、電子部品２０１の端子部２０３等が深底の保持孔５５の形状（ほぼ正方形−図では４叉状）に沿って配置、収納されるので、電子部品２０１は深底の保持孔５５で位置決めされ、水平に回転して位置がくるうことがない。
【００１９】
図１３ないし図１６に示す蓋４２は、全体としてトレー本体４１と相似形であり、上記収納部５１に対応する凹部６１と、上記スカート部５２にはまり合う側壁部６２を有するよう構成されている。６３は凹部６１の外周に凹部６１の突出方向と同じ向きに立ち上げた、所定高さの立上げ部である。したがって、上記側壁部６２はこの立上げ部６３を介して蓋４２の平滑部分と連結されている。
図では上記蓋４２の凹部６１は、図１３ないし図１６に示すように、収納する電子部品の本体等２０４等を収納する深底の保持孔からなるものである。
いずれにしても、上記蓋４２の凹部６１は、側壁部６２と近接する部分においてその立上げ部６３と連結するように形成され、補強効果のみならず成形時の不良をなくすようになっている。
６４は蓋４２に設けた面取り部で、トレー本体４１の面取り部５０と対応するよう形成されていて、蓋４２をトレー本体４１に取り付ける際のオリフラとして機能する。
【００２０】
この考案による電子部品収納用トレーは、導電性プラスチック素材等から真空成形等によって同じ型に成形されたトレー本体１１，４１と蓋１２，４２とを用い、収納する電子部品の向きを常に一定となるようにしたので、トレー本体を自動機にかけて電子部品を取り出す場合においても迅速かつ正確に作業を行なうことができるようになった。
【産業上の利用可能性】
【００２１】
以上実施形態においては、電子部品収納用トレーについて説明したが、この考案はプリント基板やその他の電子回路に搭載する電子部品、例えば、抵抗やコンデンサ、水晶振動子、表示管等の保管、運搬のみならず、その他に適宜の用途に使用することが可能となった。
【図面の簡単な説明】
【００２２】
【図１】図１はこの考案に係る電子部品収納用トレーの１実施例を示すトレー本体の平面図である。
【図２】（ａ）はその正面図、（ｂ）はその背面図である。
【図３】（ａ）はその右側面図、（ｂ）はその左側面図である。
【図４】（ａ）はトレー本体の収納部とスカート部の要部横断面図、（ｂ）は収納部のみの要部横断面図である。
【図５】（ａ）はトレー本体の収納部とスカート部の要部縦断面図、（ｂ）は収納部のみの要部縦断面図である。
【図６】上記トレー本体に取り付ける蓋の底面図である。
【図７】（ａ）はそのＡ−Ａ断面図、（ｂ）はそのＢ−Ｂ断面図である。
【図８】（ａ）はそのＣ−Ｃ断面図、（ｂ）はそのＣ−Ｃ断面図である。
【図９】蓋の面取り部の要部拡大背面図である。
【図１０】（ａ）は蓋の別の部分の要部拡大背面図、（ｂ）はその左側断面図、（ｃ）はその下側断面図である。
【図１１】この考案に係る電子部品収納用トレーの他の実施例を示すトレー本体の平面図、である。
【図１２】（ａ）は収納部の拡大平面図、（ｂ）は収納部とスカート部の拡大断面図である。
【図１３】この実施例に用いる蓋の底面図である。
【図１４】蓋の要部拡大断面図である。
【図１５】蓋の面取り部の要部拡大背面図である。
【図１６】別の部分の要部拡大背面図である。
【符号の説明】
【００２３】
１１  トレー本体
１２  蓋
２０  面取り部
２１  収納部
２２  スカート部
２３  立上げ部
２４  収納ガイド
２５  保持孔
２６  凹溝
２７  フランジ部
２８  凹溝
２９，３０  切欠き部
３１  凹部
３２  側壁部
３３  立上げ部
３４  収納ガイド
３５  保持孔
３６  面取り部
４１  トレー本体
４２  蓋
５０  面取り部
５１  収納部
５２  スカート部
５３  立上げ部
５４  収納ガイド
５５  保持孔
６１  凹部
６２  側壁部
６３  立上げ部
６４  面取り部
１０１  電子部品
１０２  フランジ部
１０３  端子部
１０４  電子部品の本体
２０１  電子部品
２０２  フランジ部
２０３  端子部
２０４  電子部品の本体
【図１】
0003106610.tif 000003
【図２】
0003106610.tif 000004
【図３】
0003106610.tif 000005
【図４】
0003106610.tif 000006
【図５】
0003106610.tif 000007
【図６】
0003106610.tif 000008
【図７】
0003106610.tif 000009
【図８】
0003106610.tif 000010
【図９】
0003106610.tif 000011
【図１０】
0003106610.tif 000012
【図１１】
0003106610.tif 000013
【図１２】
0003106610.tif 000014
【図１３】
0003106610.tif 000015
【図１４】
0003106610.tif 000016
【図１５】
0003106610.tif 000017
【図１６】
0003106610.tif 000018